Podtech/llm-jp-corpus-v4-ja_patent huggingface dataset:
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
作用剤であって
a)単離ポリペプチドであり、
i)配列番号15のアミノ酸配列、又は
ii)前記配列番号15に対して少なくとも90％の配列同一性を有する、i)のアミノ酸配列の生物学的に活性な配列変異体、
iii)i)乃至ii)の何れかの少なくとも15個の連続するアミノ酸の生物学的に活性なフラグメントであり、少なくとも15個のアミノ酸の重複範囲において、配列番号15に対して少なくとも90％の配列同一性を有する前記フラグメント、を含む単離ポリペプチドと、
b)a)に定めたポリペプチドをコードする核酸配列と、
c)b)に定めた核酸分子を含むベクターと、
d)b)の核酸又はc)のベクターにより形質転換又は形質導入された単離宿主細胞と、からなる群から選択され、
食欲を減少させ、及び/又は減量を促進し、及び/又は肥満を治療し、及び/又は代謝を増加させ、及び/又は熱産生を増加させ、及び/又は白色脂肪を褐色脂肪に転換する方法に用いる作用剤。
【請求項２】
前記作用剤は、ポリペプチドであって、前記ポリペプチドは、配列番号15、5、1、2、3、4、6、7、8、9、10、11、12、13、14、16、17、18、19、20、21、22、23、24、25、26、27、28、29、30、31、32、33、34、35、36、37、38、39、40、41、42、43、44、45、46、47、48、49、50、51、61、62、63、及び64からなる群から選択されるアミノ酸配列を含む生物学的に活性な配列変異体である、請求項1記載の作用剤。
【請求項３】
前記ポリペプチドは、配列番号15、5、1、2、3、4、6、7、8、9、10、11、12、13、14、16、17、18、19、20、21、22、23、24、25、26、27、28、29、30、31、32、33、34、35、36、37、38、39、40、41、42、43、44、45、46、47、48、49、50、51、61、62、63、及び64からなる群から選択される配列の天然に存在する対立遺伝子変異体である、請求項1記載の作用剤。
【請求項４】
前記ポリペプチドは、配列番号15、5、63、62、21、27、33、37、39、43、47、51からなる群から選択される可溶性SorCS1のアミノ酸配列を含む、請求項1記載の作用剤。
【請求項５】
前記ポリペプチドは、記載の変異体ポリペプチドであり、前記選択される配列内で指定された任意のアミノ酸は、25以下のアミノ酸が変更されるという条件で、条件で、保存的置換をもたらすように変更される、請求項1乃至4の何れかに記載の作用剤。
【請求項６】
前記ポリペプチドは、グリコシル化される、請求項1乃至5の何れかに記載の作用剤。
【請求項７】
前記ポリペプチドは、以下の配列の1つ以上を含む、請求項1乃至6の何れかに記載の作用剤:
配列番号1 aa103-124
配列番号1 aa125-143
配列番号1 aa144-162
配列番号1 aa197-218
配列番号1 aa391-409
配列番号1 aa661-684
配列番号1 aa763-783
配列番号1 aa859-876。
【請求項８】
前記ポリペプチドは、少なくとも1つの分子内シスチン架橋を形成することができる、請求項1乃至7の何れかに記載の作用剤。
【請求項９】
前記ポリペプチドは、更に、poly-hisタグ、GSTタグ、HAタグ、Flagタグ、C-mycタグ、HSVタグ、V5タグ、マルトース結合タンパク質タグ、セルロース結合ドメインタグ等のアフィニティタグを含む、請求項1乃至8の何れかに記載の作用剤。
【請求項１０】
前記被験体は、インスリン抵抗性及び/又は2型糖尿病を有してない、請求項1記載の作用剤。
【請求項１１】
前記作用剤は、患者に投与された際の半減期、特に血漿半減期を増加させるために化学修飾される、請求項1乃至10の何れかに記載の作用剤。
【請求項１２】
前記作用剤は、更に、前記作用剤に結合されることにより、成分結合作用剤を生成する成分を含む、前記成分結合作用剤が、非成分結合作用剤の血漿及び/又は血清半減期よりも長い血漿及び/又は血清半減期を有する、請求項1乃至11の何れかに記載の作用剤。
【請求項１３】
前記成分は、ヒトコブラクダ、ラクダ、ラマ、アルパカ、ビクーニャ、又はグアナコ由来の組換え又は天然単鎖抗体等、ラクダ科の種由来の抗体である、請求項12記載の作用剤。
【請求項１４】
前記作用剤に結合される前記成分は、アルブミン、脂肪酸、ポリエチレングリコール(PEG)、アシル化基、抗体、及び抗体フラグメントからなる群から選択される1種類以上の成分である、請求項12又は13に記載の作用剤。
【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
非プロトン性溶媒中で、かつ、溶解した均質なパラジウム触媒、および塩基の存在下で、クロロ−、ブロモ−またはヨードイソベンゾフラン−１，３−ジオンをエチンと反応させて、沈殿した（エチン−１，２−ジイル）ビス（イソベンゾフラン−１，３−ジオン）を得る工程と、
得られた沈殿した（エチン−１，２−ジイル）ビス（イソベンゾフラン−１，３−ジオン）を反応混合物から分離する工程と
を含む、（エチン−１，２−ジイル）ビス（イソベンゾフラン−１，３−ジオン）を得る方法。
【請求項２】
前記沈殿した（エチン−１，２−ジイル）ビス（イソベンゾフラン−１，３−ジオン）を、水と異なり、前記塩基の形成したクロロ、ブロモまたはヨード塩を溶解する洗浄剤で洗浄する工程をさらに含む、請求項１に記載の方法。
【請求項３】
前記洗浄は、前記得られた沈殿した（エチン−１，２−ジイル）ビス（イソベンゾフラン−１，３−ジオン）を反応混合物から分離する工程の前および／または後に実施される、請求項２に記載の方法。
【請求項４】
前記沈殿した（エチン−１，２−ジイル）ビス（イソベンゾフラン−１，３−ジオン）を洗浄剤で洗浄する工程は、２５〜１２５℃の温度で実施される、請求項２または３に記載の方法。
【請求項５】
前記洗浄剤は、カルボン酸、極性非プロトン性溶媒ならびにクロロホルムからなる群から選択される、請求項２〜４のいずれか一項に記載の方法。
【請求項６】
前記洗浄剤は、カルボン酸である、請求項５に記載の方法。
【請求項７】
酸洗浄した、沈殿した（エチン−１，２−ジイル）ビス（イソベンゾフラン−１，３−ジオン）を、極性非プロトン性溶媒で洗浄する工程をさらに含む、請求項６に記載の方法。
【請求項８】
前記クロロ−、ブロモ−またはヨードイソベンゾフラン−１，３−ジオンが、５−ハロイソベンゾフラン−１，３−ジオンであり、前記（エチン−１，２−ジイル）ビス（イソベンゾフラン−１，３−ジオン）が５，５’−（エチン−１，２−ジイル）ビス（イソベンゾフラン−１，３−ジオン）である、請求項１〜７のいずれか一項に記載の方法。
【請求項９】
前記均質なパラジウム触媒が、ビス（トリフェニルホスフィン）パラジウム（ＩＩ）ジクロリド、パラジウム（ＩＩ）ジクロリド、テトラキス（トリフェニルホスフィン）−パラジウム（０）、トリス（ジベンジリデンアセトン）ジパラジウム（０）、酢酸パラジウム（ＩＩ）、ジクロロビス（トリフェニルホスフィン）パラジウム（ＩＩ）、ビス（アセトニトリル）パラジウム（ＩＩ）およびビス（ベンゾニトリル）パラジウム（ＩＩ）ジクロリドからなる群から選択される、請求項１〜８のいずれか一項に記載の方法。
【請求項１０】
前記クロロ−、ブロモ−またはヨードイソベンゾフラン−１，３−ジオンとエチンとの反応が銅塩の存在下で実施される、請求項１〜９のいずれか一項に記載の方法。
【請求項１１】
前記反応混合物は前記クロロ−、ブロモ−またはヨードイソベンゾフラン−１，３−ジオンを含み、前記均質なパラジウム触媒および前記塩基は前記塩基と異なる非プロトン性溶媒をさらに含む、請求項１〜１０のいずれか一項に記載の方法。
【請求項１２】
前記クロロ−、ブロモ−またはヨードイソベンゾフラン−１，３−ジオンをエチンと反応させる工程が、前記クロロ−、ブロモ−またはヨードイソベンゾフラン−１，３−ジオン、前記均質なパラジウム触媒および前記塩基を含む反応混合物に対してエチンの過圧を付与することによって実施され、前記反応混合物を撹拌することを含む、請求項１〜１１のいずれか一項に記載の方法。
【請求項１３】
前記反応が６０〜１００℃の温度で実施される、請求項１〜１２のいずれか一項に記載の方法。
【請求項１４】
前記塩基が非プロトン性塩基である、請求項１〜１３のいずれか一項に記載の方法。
【請求項１５】
前記沈殿した生成物を５０〜１５０℃の温度にて減圧下で乾燥させる工程をさらに含む、請求項１〜１４のいずれか一項に記載の方法。
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
第一の発色団、および
使用中に前記発色団の合計量の15重量%未満しか前記生体光組成物から浸出しないように、前記組成物をゲル化するのに十分な量で存在し、前記生体光組成物を浸出に対して実質的に抵抗性を持つようにするゲル化剤を含む、生体光組成物。
【請求項２】
浸出に対して実質的に抵抗性であるとは、室温および室内圧力で5分間、厚さ2 mmの前記生体光組成物の層をその上に配置する上面と、リン酸生理食塩水緩衝溶液と直接接触する底面を持つ、厚さが10ミクロンで細孔径が3ミクロンの直径2.4〜3 cmのポリカーボネート（PC）膜を通して、前記発色団の合計量の15%未満が前記生体光組成物から、受容体区画に含まれる前記リン酸生理食塩水緩衝溶液中に浸出する、請求項1に記載の生体光組成物。
【請求項３】
前記生体光組成物が透光性である、請求項1または請求項2に記載の生体光組成物。
【請求項４】
前記ゲル化剤が、親水性材料、吸湿性材料および水和ポリマーからなる群から選択される、請求項1〜3のいずれか1項に記載の生体光組成物。
【請求項５】
さらに酸素放出剤を含む、請求項1〜4のいずれか1項に記載の生体光組成物。
【請求項６】
前記酸素放出剤が、過酸化水素、過酸化カルバミド、過酸化ベンゾイル、ペルオキシ酸、アルカリ金属化酸化物、アルカリ金属過炭酸塩、ペルオキシ酢酸およびアルカリ金属過ホウ酸塩から選択される、請求項5に記載の生体光組成物。
【請求項７】
前記組成物が、第二の発色団をさらに含む、請求項1〜6のいずれか1項に記載の生体光組成物。
【請求項８】
前記第一の発色団が、前記第二の発色団の吸収スペクトルと少なくとも20%重複する発光スペクトルを持つ、請求項7に記載の生体光組成物。
【請求項９】
前記第一の発色団がエオシンYおよびフルオレセインから選択され、前記第二の発色団がフルオレセイン、フロキシンBおよびエリスロシンBから選択される、請求項7または請求項8に記載の生体光組成物。
【請求項１０】
担体媒体中に第一の発色団を含む生体光組成物であって、前記組成物が膜内に封入されており、その膜が、使用中に前記発色団の合計量の15%未満しか組成物から浸出しないよう、前記第一の発色団の浸出を制限する生体光組成物。
【請求項１１】
前記膜が、脂質、ポリマー、ゼラチン、セルロース、およびシクロデキストリンから選択される、請求項10に記載の生体光組成物。
【請求項１２】
前記生体光組成物がデンドリマーを含む、請求項10または請求項11に記載の生体光組成物。
【請求項１３】
創傷治癒を促進するための生体光治療の方法における使用のための、請求項1〜12のいずれか1項に定義される生体光組成物であって、前記方法が以下の手順を含む、生体光組成物：
前記生体光組成物を創傷に局所的に塗布する手順、および
前記第一の発色団の吸収スペクトルと重複する波長を持つ光を前記生体光組成物に照射する手順。
【請求項１４】
皮膚疾患の生体光治療の方法における使用のための、請求項1〜12のいずれか1項に定義される生体光組成物であって、前記方法が、以下の手順を含む、生体光組成物：
前記生体光組成物を皮膚疾患に罹患した標的皮膚組織に局所的に塗布する手順、および
前記第一の発色団の吸収スペクトルと重複する波長を持つ光を前記生体光組成物に照射する手順。
【請求項１５】
歯周病の生体光治療のための方法における使用のための、請求項1〜12のいずれか1項に定義される生体光組成物であって、前記方法が、以下の手順を含む、生体光組成物：
前記生体光組成物を歯周ポケットに局所的に塗布する手順、および
前記第一の発色団の吸収スペクトルと重複する波長を持つ光を前記生体光組成物に照射する手順。
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
第１の薬剤及び第２の薬剤を含む、哺乳動物におけるパーキンソン病（ＰＤ）を治療するための医薬組成物であって、第１の薬剤がアデノシン受容体２（Ａ２Ａ）のアンタゴニストであるトザデナント（Ｔｏｚａｄｅｎａｎｔ）であり、第２の薬剤が、Ｎ−メチル−Ｄ−アスパラギン酸（ＮＭＤＡ）受容体サブタイプＮＲ２Ｂのアンタゴニストであるラジプロジル（Ｒａｄｉｐｒｏｄｉｌ）である、上記医薬組成物。
【請求項２】
Ａ２Ａアンタゴニスト対ＮＲ２Ｂアンタゴニストの比が、３０：１〜１：３０の間で変動する、請求項１に記載の組成物。
【請求項３】
両方の薬剤が、Ｌ−ドーパと一緒に投与される、請求項１又は２に記載の組成物。
【請求項４】
１日１回、投与される、請求項１から３までのいずれか一項に記載の組成物。
【請求項５】
（ａ）治療有効量のトザデナント（Ｔｏｚａｄｅｎａｎｔ）を含む医薬製剤を収容している第１の収容容器と、
（ｂ）治療有効量のラジプロジル（Ｒａｄｉｐｒｏｄｉｌ）を含む医薬製剤を収容している第２の収容容器と
を含むキットオブパーツの形態である、請求項１〜４までのいずれか一項に記載の組成物。
【誤訳訂正書】
【提出日】平成28年3月29日(2016.3.29)
【誤訳訂正１】
【訂正対象書類名】明細書
【訂正対象項目名】０００６
【訂正方法】変更
【訂正の内容】
【０００６】
時間とともに、これらプロセスによって、顔、特に鼻の周囲及び頬の皮膚の毛穴が大きくなることがある。顔の毛穴が大きくなり始めることがある年齢は、個人によって大きく異なる場合があるが、このプロセスは、一般的に、２０歳前後で始まり、毛穴は大きくなり続け、４０歳と５０歳の間でより明確になることがある。したがって、大きな顔の毛穴の外観を改善する、局所的に塗布される化粧品組成物、及び関連する処理方法を提供することが望ましい。
【誤訳訂正２】
【訂正対象書類名】明細書
【訂正対象項目名】００４５
【訂正方法】変更
【訂正の内容】
【００４５】
この方法は、処理の必要な顔の毛穴を有すると既に同定されている顔の皮膚表面に組成物を塗布する工程を含んでよい。組成物を顔の毛穴に塗布する多数の処理計画が存在する。本組成物は、処理期間中、少なくとも１日１回、１日２回、又は１日により頻繁に塗布してよい。１日２回塗布する場合、１回目と２回目の塗布は、少なくとも１〜１２時間の間隔をあける。一般に、組成物は、朝及び／又は就寝前の夜に塗布してよい。
【誤訳訂正３】
【訂正対象書類名】特許請求の範囲
【訂正対象項目名】全文
【訂正方法】変更
【訂正の内容】
【特許請求の範囲】
【請求項１】
顔の毛穴の外観を改善する方法であって、
ａ．処理を必要としている顔の皮膚表面上の毛穴の領域を同定することと、
ｂ．前記顔の皮膚表面上の前記顔の毛穴に有効量のイナゴマメ果実抽出物を含む組成物を塗布することと、を含み、前記組成物が、前記顔の毛穴の外観を改善するのに十分な期間塗布され、
前記組成物が、組成物の重量に基づいて、０．０００１重量％〜１５重量％のイナゴマメ果実抽出物濃度を有する、方法。
【請求項２】
前記組成物が、組成物の重量に基づいて、０．０２５重量％〜１０重量％のイナゴマメ果実抽出物濃度を有する、請求項１に記載の方法。
【請求項３】
前記組成物が、組成物の重量に基づいて、０．０５重量％〜１０重量％のイナゴマメ果実抽出物濃度を有する、請求項１に記載の方法。
【請求項４】
前記組成物が、額、口周囲、顎、眼窩周囲、鼻、頬の皮膚表面、及びこれらの組み合わせからなる群から選択される少なくとも１つの顔の皮膚表面に塗布される、請求項１〜３のいずれか一項に記載の方法。
【請求項５】
前記組成物が、少なくとも４週間の間、少なくとも１日１回、前記顔の皮膚表面に塗布される、請求項１〜４のいずれか一項に記載の方法。
【請求項６】
前記組成物が、少なくとも８週間の間、少なくとも１日２回、前記顔の皮膚表面に塗布される、請求項５に記載の方法。
【請求項７】
前記顔の毛穴の少なくとも一部の直径が減少する、請求項１〜６のいずれか一項に記載の方法。
【請求項８】
前記組成物が日焼け止め活性物質を更に含む、請求項１〜７のいずれか一項に記載の方法。
【請求項９】
前記組成物が抗炎症剤を更に含む、請求項１〜８のいずれか一項に記載の方法。
【請求項１０】
前記抗炎症剤が、グリシルリジン酸、グリシルリジン酸塩、甘草抽出物、ビサボロール、及びこれらの組み合わせからなる群より選択される、請求項９に記載の方法。
【請求項１１】
前記組成物が皮膚色調剤を更に含む、請求項１〜１０のいずれか一項に記載の方法。
【請求項１２】
前記皮膚色調剤が、ビタミンＢ３化合物、糖アミン、ヘキサアミジン化合物、サリチル酸、１，３−ジヒドロキシ−４−アルキルベンゼン、レチノイド、及びこれらの組み合わせからなる群から選択される、請求項１１に記載の方法。
【請求項１３】
前記顔の毛穴を同定する工程が、撮像装置によって実施される、請求項１〜１２のいずれか一項に記載の方法。
【請求項１４】
前記顔の毛穴を同定する工程が、ヒトの目によって目視で実施される、請求項１〜１３のいずれか一項に記載の方法。
【請求項１５】
前記組成物がアプリケータを用いて塗布される、請求項１〜１４のいずれか一項に記載の方法。
【請求項１６】
前記組成物が、複数の顔の皮膚表面に同時に塗布される、請求項１〜１５のいずれか一項に記載の方法。
【請求項１７】
顔の毛穴の外観を改善するための組成物であって、
前記組成物は、組成物の重量に基づいて０．０００１重量％〜１５重量％のイナゴマメ果実抽出物と、抗挫創活性物質、落屑活性物質、抗セルライト剤、キレート剤、フラボノイド、日焼け活性物質、非ビタミン酸化防止剤及びラジカルスカベンジャー、育毛調整剤、しわ防止活性物質、抗皮膚萎縮防止活性物質、鉱物、フィトステロール及び／又は植物ホルモン、Ｎ−アシルアミノ酸化合物、および抗菌活性物質又は抗真菌活性物質からなる群から選択される一又は複数の成分と、皮膚科学的に許容可能なキャリアとを含む組成物。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
有効成分として治療上有効量のテルミナリア・エリプティカ植物の抽出物を、少なくとも１つの薬学的に許容可能な担体と共に含む組成物であって、前記抽出物が、生理活性マーカーとしてのエラグ酸４−Ｏ−α−Ｌ−ラムノピラノシド（化合物１）を含む、組成物。
【請求項２】
５〜１００％のテルミナリア・エリプティカ植物の抽出物を含む、請求項１に記載の組成物。
【請求項３】
抽出物がテルミナリア・エリプティカ植物の樹皮から得られる、請求項１に記載の組成物。
【請求項４】
テルミナリア・エリプティカ植物の抽出物が、生理活性マーカーとしての０.０１〜１０.０％の化合物１を含む、請求項１に記載の組成物。
【請求項５】
経口投与される、請求項１に記載の組成物。
【請求項６】
経口投与のため錠剤、カプセル剤または顆粒剤の形態に製剤化される、請求項５に記載の組成物。
【請求項７】
代謝障害の処置のための、請求項１に記載の組成物。
【請求項８】
代謝障害が、インシュリン耐性、高血糖症、糖尿病、肥満、耐糖能低下、高コレステロール血症、脂質異常症、高インスリン血症、アテローム性動脈硬化、多嚢胞性卵巣症候群、冠動脈疾患、メタボリック症候群、高血圧、または異常な血漿リポタンパク質、トリグリセリド類との関連障害もしくは膵臓β細胞再生との関連障害から選択される、請求項７に記載の組成物。
【請求項９】
代謝障害が、インシュリン耐性、糖尿病、高血糖症、メタボリック症候群、耐糖能低下、肥満、脂質異常症、または異常な血漿リポタンパク質、トリグリセリド類との関連障害もしくは膵臓β細胞再生との関連障害から選択される、請求項８に記載の組成物。
【請求項１０】
代謝障害を処置するために、少なくとも一つのさらなる治療上有効な薬剤と組み合わせて使用するために提供される、請求項１に記載の組成物。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
１０ＩＵ／ｍｇ未満の抗第ＩＩａ因子活性、１０ＩＵ／ｍｇ未満の抗第Ｘａ因子活性および約４．６ｋＤａ〜約６．９ｋＤａの平均分子量（Ｍｗ）を有する化学修飾ヘパリンまたはヘパラン硫酸であって、
（ｉ）抗凝固作用を媒介する化学的にインタクトな糖配列を本質的に含まない多糖鎖と、
（ｉｉ）（式Ｉ）に従う、支配的に生じる二糖を有する、１．２〜１２ｋＤａの分子量に対応する多糖鎖とを備え、（式Ｉ）は、
【化１】
2015514705.tif 000001
であり、
（ｉｉｉ）以下の表に従った多糖類の分布および重量の累積％として表わされるそれらの対応する分子質量を有し、前記表は、
【表１】
2015514705.tif 000002
であり、
分娩停止の処置において子宮の子宮筋層収縮を促進可能な薬剤と併用して使用され、子宮の子宮筋層収縮を促進または刺激するのに有用な薬剤に対する追加処置として、および／または当該薬剤ですでに処置されている女性に投与される、化学修飾ヘパリンまたはヘパラン硫酸。
【請求項２】
前記分娩停止は一次的な分娩停止である、請求項１に記載の使用のための化学修飾ヘパリンまたはヘパラン硫酸。
【請求項３】
前記分娩停止は二次的な分娩停止である、請求項１に記載の使用のための化学修飾ヘパリンまたはヘパラン硫酸。
【請求項４】
前記二次的な分娩停止は不十分な進行または進行の完全な中止である、請求項３に記載の使用のための化学修飾ヘパリンまたはヘパラン硫酸。
【請求項５】
前記二次的な分娩停止は児頭骨盤不均衡に起因する、請求項３に記載の使用のための化学修飾ヘパリンまたはヘパラン硫酸。
【請求項６】
前記分娩停止は分娩を誘発された女性に現れる、請求項１〜５のいずれか一項に記載の使用のための化学修飾ヘパリンまたはヘパラン硫酸。
【請求項７】
前記分娩停止は未産婦女性に現れる、請求項１〜６のいずれか一項に記載の使用のための化学修飾ヘパリンまたはヘパラン硫酸。
【請求項８】
子宮の子宮筋層収縮を促進可能な前記薬剤はオキシトシンである、請求項１〜７のいずれか一項に記載の使用のための化学修飾ヘパリンまたはヘパラン硫酸。
【請求項９】
支配的に生じる多糖鎖は６〜１２個の二糖単位を有し、分子量は３．６〜７．２ｋＤａである、請求項１〜８のいずれか一項に記載の使用のための化学修飾ヘパリンまたはヘパラン硫酸。
【請求項１０】
請求項１〜９のいずれか一項に記載の使用のための化学修飾ヘパリンまたはヘパラン硫酸。
【請求項１１】
当該グルコサミンの信号は、前記１Ｈ−ＮＭＲスペクトル中の５．９５ｐｐｍおよび６．１５ｐｐｍに存在する、請求項１０に記載の使用のための化学修飾ヘパリンまたはヘパラン硫酸。
【請求項１２】
前記化学修飾ヘパリンまたはヘパラン硫酸は、インタクトな非硫酸化イズロン酸および／またはグルクロン酸を本質的に含まない、請求項１〜１１のいずれか一項に記載の使用のための化学修飾ヘパリンまたはヘパラン硫酸。
【請求項１３】
少なくとも１つの前記化学修飾ヘパリンまたはヘパラン硫酸は、局所用の薬学的調製物として局所投与される、請求項１〜１２のいずれか一項に記載の使用のための化学修飾ヘパリンまたはヘパラン硫酸。
【請求項１４】
少なくとも１つの前記化学修飾ヘパリンまたはヘパラン硫酸は、非経口用の薬学的調製物として投与される、請求項１〜１３のいずれか一項に記載の使用のための化学修飾ヘパリンまたはヘパラン硫酸。
【請求項１５】
前記化学修飾ヘパリンまたはヘパラン硫酸は、オキシトシンを用いる処置に対して補助的に最大で３６時間、１〜４時間ごとに静脈内投与される、請求項１〜１４のいずれか一項に記載の使用のための化学修飾ヘパリンまたはヘパラン硫酸。
【請求項１６】
１０ＩＵ／ｍｇ未満の抗第ＩＩａ因子活性、１０ＩＵ／ｍｇ未満の抗第Ｘａ因子活性および約４．６ｋＤａ〜約６．９（±１０％）ｋＤａの平均分子量（Ｍｗ）を有する化学修飾ヘパリンまたはヘパラン硫酸の使用であって、前記化学修飾ヘパリンまたはヘパラン硫酸は、
（ｉ）抗凝固作用を媒介する化学的にインタクトな糖配列を本質的に含まない多糖鎖と、
（ｉｉ）（式Ｉ）に従う、支配的に生じる二糖を有する、１．２〜１２ｋＤａの分子量に対応する多糖鎖とを含み、（式Ｉ）は、
【化２】
2015514705.tif 000003
であり、
（ｉｉｉ）以下の表に従った多糖類の分布および重量の累積％として表わされるそれらの対応する分子質量を有し、前記表は、
【表２】
2015514705.tif 000004
であり、
分娩停止の処置において子宮の子宮筋層収縮を促進可能な薬剤と併用して使用され、子宮の子宮筋層収縮を促進または刺激するのに有用な薬剤に対する追加処置として、および／または当該薬剤ですでに処置されている女性に投与される、医薬品の製造のための、使用。
【請求項１７】
前記分娩停止は一次的な分娩停止である、請求項１６に記載の使用。
【請求項１８】
前記分娩停止は二次的な分娩停止である、請求項１６に記載の使用。
【請求項１９】
前記二次的な分娩停止は不十分な進行または進行の完全な中止である、請求項１８に記載の使用。
【請求項２０】
前記二次的な分娩停止は児頭骨盤不均衡に起因する、請求項１８に記載の使用。
【請求項２１】
前記分娩停止は分娩を誘発された女性に現れる、請求項１６〜２０のいずれか一項に記載の使用。
【請求項２２】
前記分娩停止は未産婦女性に現れる、請求項１６〜２１のいずれか一項に記載の使用。
【請求項２３】
子宮の子宮筋層収縮を促進可能な前記薬剤はオキシトシンである、請求項１６〜２２のいずれか一項に記載の使用。
【請求項２４】
支配的に生じる多糖鎖は６〜１２個の二糖単位を有し、分子量は３．６〜７．２ｋＤａである、請求項１６〜２３のいずれか一項に記載の使用。
【請求項２５】
前記化学修飾ヘパリンまたはヘパラン硫酸は、天然ヘパリンからの５．４２ｐｐｍにおける信号に対して４％未満の強度（％比）を有する１Ｈ−ＮＭＲスペクトル中の５．０〜６．５ｐｐｍの区間内の信号として存在する非還元末端不飽和グルコサミンを含む、請求項１６〜２４のいずれか一項に記載の使用のための化学修飾ヘパリンまたはヘパラン硫酸。
【請求項２６】
当該グルコサミン信号は、前記１Ｈ−ＮＭＲスペクトル中の５．９５ｐｐｍおよび６．１５ｐｐｍに存在する、請求項２５に記載の使用。
【請求項２７】
前記化学修飾ヘパリンまたはヘパラン硫酸は、インタクトな非硫酸化イズロン酸および／またはグルクロン酸を本質的に含まない、請求項１６〜２６のいずれか一項に記載の使用。
【請求項２８】
少なくとも１つの前記化学修飾ヘパリンまたはヘパラン硫酸は、局所用の薬学的調製物として局所投与される、請求項１６〜２７のいずれか一項に記載の使用。
【請求項２９】
少なくとも１つの前記化学修飾ヘパリンまたはヘパラン硫酸は、非経口用の薬学的調製物として投与される、請求項１６〜２８のいずれか一項に記載の使用。
【請求項３０】
前記化学修飾ヘパリンまたはヘパラン硫酸は、オキシトシンを用いる処置に対して補助的に最大で３６時間、１〜４時間ごとに静脈内投与される、請求項１６〜２９のいずれか一項に記載の使用。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
式Ｉ
2015514784.tif 000001
Ｉ
の５−ブロモ−４−クロロ−３−ニトロ−１Ｈ−ピロロ[２,３−ｂ]ピリジン、並びにその立体異性体、互変異性体及び薬学的に許容される塩。
【請求項２】
式ＩＩ
2015514784.tif 000002
ＩＩ
の４−クロロ−３−ニトロ−１Ｈ−ピロロ[２,３−ｂ]ピリジンを臭素化し、式Ｉ
2015514784.tif 000003
Ｉ
の５−ブロモ−４−クロロ−３−ニトロ−１Ｈ−ピロロ[２,３−ｂ]ピリジンを得る工程を含む、式Ｉの５−ブロモ−４−クロロ−３−ニトロ−１Ｈ−ピロロ[２,３−ｂ]ピリジンを調製するための方法。
【請求項３】
臭素化が有機酸の中から選択される溶媒を使用して実施される、請求項２に記載の方法。
【請求項４】
有機酸が酢酸である、請求項３に記載の方法。
【請求項５】
臭素化が臭素、ピリジニウムトリブロミド、ピリジニウムジクロロブロマート、１,３−ジブロモ−５,５−ジメチルヒダントイン、テトラブロモシクロヘキサジエノン又はＮ−ブロモスクシンイミド（ＮＢＳ）から選択される臭素化剤により実施される、請求項２から４の何れか一項に記載の方法。
【請求項６】
臭素化剤がＮ−ブロモスクシンイミド（ＮＢＳ）である、請求項５に記載の方法。
【請求項７】
（ａ）式III
2015514784.tif 000004
III
の４−クロロ−１Ｈ−ピロロ[２,３−ｂ]ピリジンをニトロ化し、式ＩＩ
2015514784.tif 000005
ＩＩ
の４−クロロ−３−ニトロ−１Ｈ−ピロロ[２,３−ｂ]ピリジンを得る工程と、
（ｂ）式ＩＩの４−クロロ−３−ニトロ−１Ｈ−ピロロ[２,３−ｂ]ピリジンを臭素化し、式Ｉの５−ブロモ−４−クロロ−３−ニトロ−１Ｈ−ピロロ[２,３−ｂ]ピリジンを得る工程とを含む、請求項２から６の何れか一項に記載の方法。
【請求項８】
ニトロ化が硝酸から選択されるニトロ化剤を使用して実施される、請求項７に記載の方法。
【請求項９】
ニトロ化が酸性条件下で実施される、請求項８に記載の方法。
【請求項１０】
ニトロ化が硫酸の存在下で実施される、請求項９に記載の方法。
【請求項１１】
（ａ）式III
2015514784.tif 000006
III
の４−クロロ−１Ｈ−ピロロ[２,３−ｂ]ピリジンをニトロ化し、式ＩＩ
2015514784.tif 000007
ＩＩ
の４−クロロ−３−ニトロ−１Ｈ−ピロロ[２,３−ｂ]ピリジンを得る工程と、
（ｂ）式ＩＩの４−クロロ−３−ニトロ−１Ｈ−ピロロ[２,３−ｂ]ピリジンを臭素化し、式Ｉの５−ブロモ−４−クロロ−３−ニトロ−１Ｈ−ピロロ[２,３−ｂ]ピリジンを得る工程とを含む、請求項５に記載の方法。
【請求項１２】
ニトロ化が硝酸から選択されるニトロ化剤を使用して実施される、請求項１１に記載の方法。
【請求項１３】
ニトロ化が酸性条件下で実施される、請求項１２に記載の方法。
【請求項１４】
ニトロ化が硫酸の存在下で実施される、請求項１３に記載の方法。
【請求項１５】
有機酸が酢酸である、請求項１４に記載の方法。
【請求項１６】
臭素化剤がＮ−ブロモスクシンイミド（ＮＢＳ）である、請求項１５に記載の方法。
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
以下からなる群より選択される化合物またはその薬学的に許容される塩。
【化１】
2015514781.tif 000001
【化２】
2015514781.tif 000002
【化３】
2015514781.tif 000003
【請求項２】
請求項１に記載の化合物および薬学的に許容される希釈剤または担体を含む医薬組成物。
【請求項３】
タンパク質チロシンホスファターゼ１Ｂ（ＰＴＰ１Ｂ）の阻害が介在する哺乳動物における障害の処置のための医薬の製造における、請求項１に記載の化合物またはその薬学的に許容される塩の使用。
【請求項４】
式
【化４】
2015514781.tif 000004
［式中、
Ｒ１は、−ＮＨ（ＣＨ２）１−４−ＮＨ−Ｒ６、Ｈ、
【化５】
2015514781.tif 000005
であり、
Ｒ６は、−（ＣＨ２）１−４−ＮＨ−Ｒ７、−（ＣＨ２）０−３−Ｃ１−Ｃ５アルキル、−（ＣＨ２）０−３−Ｃ３−Ｃ７シクロアルキル、−（ＣＨ２）０−３−Ｃ３−Ｃ６ヘテロシクロアルキル、−（ＣＨ２）０−３−芳香族基、−（ＣＨ２）０−３−ヘテロ芳香族基またはＨであり、
Ｒ７は、−（ＣＨ２）１−４−ＮＨ２、−（ＣＨ２）１−４−ＮＨ−（Ｃ１−Ｃ５アルキル）、−（ＣＨ２）１−４−ＮＨ−（Ｃ３−Ｃ６ヘテロシクロアルキル）、−（ＣＨ２）１−４−ＮＨ−芳香族基、−（ＣＨ２）１−４−ＮＨ−ヘテロ芳香族基またはＨであり、
Ｒ２は、−ＯＨ、またはＨであり、
Ｒ３は、−ＯＨ、ＮＨ−Ｒ８、メチルスルホン、硫化メチルまたはＨであり、
Ｒ８は、アセチル、−ＳＯ２−ＣＨ３または−Ｃ（Ｏ）ＯＣＨ３であり、
Ｒ４は、−ＯＨまたはＨであり、
Ｒ５は、
【化６】
2015514781.tif 000006
である。］
で示される化合物、またはその薬学的に許容される塩。
【請求項５】
式
【化７】
2015514781.tif 000007
［式中、
Ｘ１は、
【化８】
2015514781.tif 000008
であり、
Ｘ２は、−ＯＨまたはＨであり、
Ｘ３は、Ｈ、−ＯＨ、−Ｓ（Ｏ）２−ＣＨ３、−ＮＨＣ（Ｏ）−ＣＨ３、−ＮＨＣ（Ｏ）−ＯＣＨ３、−ＮＨＣ（Ｏ）−ＳＣＨ３、−ＮＨ−ＳＯ２ＣＨ３または−ＳＣＨ３であり、
Ｘ４は、−ＯＨまたはＨであり、
Ｘ５は、Ｈまたは−ＣＨ３である。］
で示される化合物、またはその薬学的に許容される塩。
【請求項６】
式
【化９】
2015514781.tif 000009
［式中、
Ｘ６は、
【化１０】
2015514781.tif 000010
であり、
Ｘ２は、−ＯＨまたはＨであり、
Ｘ７は、−ＯＨまたはＨであり、
Ｘ４は、−ＯＨまたはＨであり、
Ｘ８は、−ＯＨまたはＨである。］
で示される化合物、またはその薬学的に許容される塩。
【請求項７】
タンパク質チロシンホスファターゼ１Ｂ（ＰＴＰ１Ｂ）の阻害が介在する哺乳動物における障害の処置のための医薬の製造における、請求項４、５または６に記載の化合物またはその薬学的に許容される塩の使用。
【請求項８】
該障害が、糖尿病、肥満、血清高コレステロール、睡眠時無呼吸症および非アルコール性脂肪性肝炎からなる群より選択される、請求項３または７に記載の使用。
【請求項９】
請求項４、５または６に記載の化合物および薬学的に許容される希釈剤または担体を含む医薬組成物。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
工業用水システムの処理を制御する方法であって、
プロトコルを実施するように構成された電子的入出力デバイスに作動可能に接続された第１のセンサを使用して前記工業用水システムの第１のパラメータを測定する測定段階と、
測定された前記第１のパラメータを前記電子的入出力デバイスに対して伝達する伝達段階と、
測定された前記第１のパラメータに基づいて前記プロトコルを調節する調節段階と、
前記電子的入出力デバイスに作動可能に接続された第２のセンサを使用して前記工業用水システムの第２のパラメータを測定する測定段階と、
測定された前記第２のパラメータを前記電子的入出力デバイスに対して伝達する伝達段階と、
測定された前記第２のパラメータに基づいて前記プロトコルを調節する調節段階と、
少なくとも２つの活性成分であって各々が所定濃度を有し必要に応じて追跡される少なくとも２つの活性成分を希釈することにより、調節された前記プロトコルに従い、希釈された処理用化学物質を自動的に生成する生成段階と、
調節された前記プロトコルに従い、希釈された処理用化学物質を前記工業用水システムの流れ内へと投入する投入段階と、
前記測定段階、前記伝達段階及び各パラメータに合せた前記調節段階、自動的な前記生成段階、前記投入段階を反復し、よって、前記工業用水システムの処理を制御する、方法。
【請求項２】
前記工業用水システムは、冷却塔の用水システム、石油坑、ダウンホール形成、地熱井戸、ボイラ・システム、熱水システム、鉱物プロセス用水、製紙プロセス、黒液蒸発器、ガス洗浄器、空気清浄器、連続鋳造プロセス、空気調節システム、冷蔵システム、低温殺菌プロセス、水の再利用システム、水の精製システム、膜濾過式の用水システム、食品処理流、及び、廃水処理システムから成る群から選択される、請求項１に記載の方法。
【請求項３】
前記第１のセンサは、蛍光測定センサ、分光蛍光測定センサ、光学吸収分光センサ、光学的ラマン分光センサ、腐食センサ、導電率センサ、pHセンサ、温度センサ、重量センサ、流量センサ、荷重計、レベル検出器、濁度センサ、電気的センサ、電気化学的センサ、音響的センサから成る群から選択される、請求項１に記載の方法。
【請求項４】
前記第１のパラメータは、腐食速度、スケール形成速度、析出速度、熱伝達速度、冷却塔の効率、化学物質の濃度、濃縮のサイクル、懸濁固形物の測定値、溶解固形物の測定値、微生物学的な活性率、化学的な活性率、プロセス性能パラメータ、生成物性能パラメータから成る群から選択される、請求項１に記載の方法。
【請求項５】
前記希釈された処理用化学物質は、前記投入段階までの流れの途中で自動的に生成される、請求項１に記載の方法。
【請求項６】
前記少なくとも２つの活性成分の少なくとも１つは、希釈前は固体である、請求項１に記載の方法。
【請求項７】
前記少なくとも２つの活性成分の少なくとも１つは、希釈前は液体である、請求項１に記載の方法。
【請求項８】
前記少なくとも２つの活性成分の少なくとも１つは、希釈前は染料により追跡される、請求項１に記載の方法。
【請求項９】
前記少なくとも２つの活性成分の少なくとも１つは、蛍光部分によりタグ付けされたポリマである、請求項１に記載の方法。
【請求項１０】
前記少なくとも２つの活性成分の少なくとも１つは、蛍光性である、請求項１に記載の方法。
【請求項１１】
前記希釈された処理用化学物質は、前記工業用水システムの流れ内へと投入される前に、モジュール式投入システム内に配備される、請求項１に記載の方法。
【請求項１２】
前記プロトコルは、第一原理、実験的観察、それらの多重化物、それらの組み合わせ、及び、それらの多重化物及び組み合わせから成る群から選択された計算に基づくアルゴリズムを有する、請求項１に記載の方法。
【請求項１３】
前記第２のセンサは、蛍光測定センサ、分光蛍光測定センサ、光学吸収分光センサ、光学的ラマン分光センサ、腐食センサ、導電率センサ、pHセンサ、温度センサ、重量センサ、流量センサ、荷重計、レベル検出器、濁度センサ、電気的センサ、電気化学的センサ、音響的センサから成る群から選択される、請求項１に記載の方法。
【請求項１４】
前記第２のパラメータは、腐食速度、スケール形成速度、析出速度、熱伝達速度、冷却塔の効率、化学物質の濃度、濃縮のサイクル、懸濁固形物の測定値、溶解固形物の測定値、微生物学的な活性率、化学的な活性率、プロセス性能パラメータ、生成物性能パラメータから成る群から選択される、請求項１に記載の方法。
【誤訳訂正書】
【提出日】平成27年12月4日(2015.12.4)
【誤訳訂正１】
【訂正対象書類名】特許請求の範囲
【訂正対象項目名】請求項８
【訂正方法】変更
【訂正の内容】
【請求項８】
前記工程５において、固形硝酸ナトリウムの実際の添加量は、ルテニウム含有廃触媒におけるルテニウム含有量に基づいて計算された理論上の消費量の1.5〜2.0倍であり、加熱時間は1〜8時間である、請求項１のルテニウム含有廃触媒を使用する固形ニトロシル硝酸ルテニウムの調製方法。
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
中空溶接ワイヤであって、
シースおよびコアを有し、該コアは、炭素源およびカリウム源を有し、該炭素源と該カリウム源とは合せて前記コアの１０重量％未満を構成し、前記炭素源は、カーボンブラック、ランプブラック、カーボンナノチューブおよびダイヤモンドから成る群から選択される中空溶接ワイヤ。
【請求項２】
溶接方法であって、
溶接ワイヤ電極を溶接装置に給送することであって、前記溶接ワイヤ電極は、コアおよびシースを有し、前記コアは、炭素源および安定剤を有し、該炭素源と該安定剤とは合せて、前記コアの１０重量％未満を構成することと、
前記溶接ワイヤ電極と被覆金属ワークとの間に溶接アークを形成することとを含む溶接方法。
【請求項３】
溶接システムであって、
溶接ワイヤ電極を受け取るように構成されている溶接トーチを含み、前記溶接ワイヤ電極は、炭素源および金属源を有し、該炭素源と該金属源とは合せて、前記溶接ワイヤ電極の１０重量％未満を構成し、前記金属源は、アルカリ金属源、アルカリ土類金属源またはそれらの任意の組合せを含み、前記溶接トーチは、前記溶接ワイヤ電極とワークとの間にアークを維持しつつ、所望のパターンで前記溶接ワイヤ電極をサイクル的に動かすように構成されている溶接システム。
【手続補正書】
【提出日】平成28年4月6日(2016.4.6)
【手続補正１】
【補正対象書類名】明細書
【補正対象項目名】００４７
【補正方法】変更
【補正の内容】
【００４７】
本発明の範囲及び趣旨から逸脱しない本発明の様々な変更及び改変は、当業者には明らかであろう。本発明の実施態様の一部を以下の項目［１］−［６］に記載する。
[１]
液体を面に塗布するための液体アプリケータであって、
閉鎖端部および開放端部を有する内部チャンバを画成する壁を備える細長い中空本体であって、前記壁が取手領域および破砕領域を備え、かつ前記破砕領域内の前記壁の厚みの前記取手領域内の前記壁の厚みに対する比が１未満である、細長い中空本体と、
脆性材料で形成され、前記破砕領域に近接して前記内部チャンバ内に位置し、かつ前記液体を収納する第１のアンプルと、
前記中空本体と一体となっているレバーであって、前記中空本体に取り付けられた第１の位置から第２の位置まで突出するヒンジと、前記第２の位置から第３の位置まで延びる握り部と、前記破砕領域に隣接して前記壁と一体となっている足部と、を備えるレバーと、を備え、
前記レバーが、前記第３の位置から前記足部まで延びる第１のトラスと、前記第２の位置から前記足部まで延びる第３のトラスと、前記第１のトラスと前記第３のトラスとの間にあり、かつ前記足部から前記第２の位置と前記第３の位置との間の第４の位置まで延びる第２のトラスと、を備え、
前記第１のトラスの幅が、前記第３の位置に近接した第１の幅から前記足部に近接した第２の幅までテーパ状にされていて、前記第２の幅の前記第１の幅に対する比が１未満である、液体アプリケータ。
[２]
前記第３のトラスの幅が、前記第２の位置に近接した第３の幅から前記足部に近接した第４の幅までテーパ状にされていて、前記第４の幅の前記第３の幅に対する比が１未満である、項目１に記載の液体アプリケータ。
[３]
前記第２のトラスが細長い前記中空本体の主軸に対して略垂直に突出する、項目１または２に記載の液体アプリケータ。
[４]
５００ＭＰａ以下の曲げ弾性率を有する材料で形成される、項目１〜３のいずれか一項に記載の液体アプリケータ。
[５]
前記中空本体の前記開放端部に連結されるパッドを更に備える、項目１〜４のいずれか一項に記載の液体アプリケータ。
[６]
前記パッドが前記パッドの露出面の全体にわたって繰り返す一連の交互の山および谷を備える、項目５に記載の液体アプリケータ。
【手続補正２】
【補正対象書類名】特許請求の範囲
【補正対象項目名】全文
【補正方法】変更
【補正の内容】
【特許請求の範囲】
【請求項１】
液体を面に塗布するための液体アプリケータであって、
閉鎖端部および開放端部を有する内部チャンバを画成する壁を備える細長い中空本体であって、前記壁が取手領域および破砕領域を備え、かつ前記破砕領域内の前記壁の厚みの前記取手領域内の前記壁の厚みに対する比が１未満である、細長い中空本体と、
脆性材料で形成され、前記破砕領域に近接して前記内部チャンバ内に位置し、かつ前記液体を収納する第１のアンプルと、
前記中空本体と一体となっているレバーであって、前記中空本体に取り付けられた第１の位置から第２の位置まで突出するヒンジと、前記第２の位置から第３の位置まで延びる握り部と、前記破砕領域に隣接して前記壁と一体となっている足部と、を備えるレバーと、を備え、
前記レバーが、前記第３の位置から前記足部まで延びる第１のトラスと、前記第２の位置から前記足部まで延びる第３のトラスと、前記第１のトラスと前記第３のトラスとの間にあり、かつ前記足部から前記第２の位置と前記第３の位置との間の第４の位置まで延びる第２のトラスと、を備え、
前記第１のトラスの幅が、前記第３の位置に近接した第１の幅から前記足部に近接した第２の幅までテーパ状にされていて、前記第２の幅の前記第１の幅に対する比が１未満である、液体アプリケータ。
【請求項２】
前記第３のトラスの幅が、前記第２の位置に近接した第３の幅から前記足部に近接した第４の幅までテーパ状にされていて、前記第４の幅の前記第３の幅に対する比が１未満である、請求項１に記載の液体アプリケータ。
【請求項３】
前記第２のトラスが細長い前記中空本体の主軸に対して垂直に突出する、請求項１または２に記載の液体アプリケータ。
【請求項４】
前記中空本体の前記開放端部に連結されるパッドを更に備える、請求項１〜３のいずれか一項に記載の液体アプリケータ。
【請求項５】
前記パッドが前記パッドの露出面の全体にわたって繰り返す一連の交互の山および谷を備える、請求項４に記載の液体アプリケータ。
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
セメント、及び抗生剤、抗真菌剤、静菌剤もしくは殺菌剤、またはそれらの組合せを含む乳房インプラントスペーサーであって、前記乳房インプラントスペーサーが、少なくとも第一枢動ピン、ワイヤー、またはばねによって連結されている複数の区域を含むことを特徴とする乳房インプラントスペーサー。
【請求項２】
スペーサーが、乳房インプラントに実質的に近似するように設計されているか、または
スペーサーが、乳房インプラントに匹敵する容積または匹敵する形状を持つように設計されているか、または
スペーサーが複数の区域を含み、複数の区域の少なくとも二つが縫合穴を含むか、または
スペーサーが縫合穴を含むことを特徴とする請求項１に記載の乳房インプラントスペーサー。
【請求項３】
複数の区域が少なくとも第一枢動ピンによって連結されているか、または少なくとも第一枢動ピンがポリマー、アクリルセメント、金属、もしくはそれらの組合せを含み、
少なくとも第一枢動ピンがポリマーを含む場合、少なくとも第一枢動ピンが超高分子量ポリエチレン、高密度ポリエチレン、アセタールホモポリマー、ポリエーテルエーテルケトン、アセタールポリオキシメチレンコポリマー、アクリロニトリルブタジエンスチレン、フッ素化エチレンプロピレン、マイカに結合されたポリテトラフルオロエチレン、ポリテトラフルオロエチレン、エチレンテトラフルオロエチレン、ポリフェニレンスルフィド、ポリフェニルスルホン、ポリエチレンイミン、ポリスルホン、ポリエーテルスルホン、ポリカーボネート、ポリ（ｐ−フェニレンオキシド）、もしくはそれらの組合せを含み、または
少なくとも第一枢動ピンが金属を含む場合、少なくとも第一枢動ピンがステンレス鋼、チタン、コバルトクロム、もしくはそれらの組合せを含み、または
少なくとも第一枢動ピンがアクリルセメントを含む場合、アクリルセメントが抗生物質を添加されていることを特徴とする請求項１に記載の乳房インプラントスペーサー。
【請求項４】
複数の区域がワイヤーによって連結されており、ワイヤーがステンレス鋼、チタンまたはチタン合金、タンタル、銅−マンガン、銅−ニッケル、ニッケル−クロムまたは四元抵抗合金、機械的合金、オーステナイトニッケル−クロム系超合金、耐食超合金、銅−亜鉛−アルミニウム−ニッケル形状記憶合金、銅−アルミニウム−ニッケル形状記憶合金、またはニッケル−チタン形状記憶合金を含むことを特徴とする請求項１に記載の乳房インプラントスペーサー。
【請求項５】
複数の区域がばねによって連結されており、ばねがステンレス鋼、チタンまたはチタン合金、タンタル、銅−マンガン、銅−ニッケル、ニッケル−クロムまたは四元抵抗合金、機械的合金、オーステナイトニッケル−クロム系超合金、耐食超合金、または形状記憶合金を含むことを特徴とする請求項１に記載の乳房インプラントスペーサー。
【請求項６】
テンプレートをさらに含み、テンプレートが生体適合性ポリマーまたは金属を含み、
テンプレートが生体適合性ポリマーを含む場合、テンプレートが超高分子量ポリエチレン、高密度ポリエチレン、アセタールホモポリマー、ポリエーテルエーテルケトン、アセタールポリオキシメチレンコポリマー、アクリロニトリルブタジエンスチレン、フッ素化エチレンプロピレン、マイカに結合されたポリテトラフルオロエチレン、ポリテトラフルオロエチレン、エチレンテトラフルオロエチレン、ポリフェニレンスルフィド、ポリフェニルスルホン、ポリエチレンイミン、ポリスルホン、ポリエーテルスルホン、ポリカーボネート、ポリ（ｐ−フェニレンオキシド）、もしくはそれらの組合せを含み、または
テンプレートが金属を含む場合、テンプレートがステンレス鋼、チタン、コバルトクロム、もしくはそれらの組合せを含むことを特徴とする請求項１に記載の乳房インプラントスペーサー。
【請求項７】
乳房インプラントスペーサーが型から作られており、型が医療グレードのプラスチックもしくはシリコーン、超高分子量ポリエチレン、高密度ポリエチレン、アセタールホモポリマー、アセタールポリオキシメチレンコポリマー、もしくはそれらの組合せを含むか、または
乳房インプラントスペーサーが射出成型可能な型から作られており、射出成型可能な型が医療グレードのプラスチックもしくはシリコーンを含むことを特徴とする請求項１に記載の乳房インプラントスペーサー。
【請求項８】
セメントがポリメチルメタクリレートセメント、メチルメタクリレート−スチレンコポリマーセメント、またはメチルメタクリレート−メチルアクリレートセメントであることを特徴とする請求項１に記載の乳房インプラントスペーサー。
【請求項９】
前記抗生剤、抗真菌剤、静菌剤もしくは殺菌剤がセメント硬化によって劣化せず、前記抗生剤、抗真菌剤、静菌剤もしくは殺菌剤がバンコマイシン、トブラマイシン、ボリコナゾール、ゲンタマイシン、エリスロマイシン、オキサシリン、クロキサシリン、メチシリン、リンコマイシン、アンピシリン、コリスチン、クリンダマイシン、セファロスポリン、アンホテリシンＢ、フルコナゾール、銅窒化物、金属銀、またはそれらのいずれかの組合せであることを特徴とする請求項１に記載の乳房インプラントスペーサー。
【請求項１０】
複数の区域を含む乳房インプラントスペーサーであって、前記区域のそれぞれがポリメチルメタクリレートセメント及びバンコマイシン、トブラマイシン、ボリコナゾール、またはそれらのいずれかの組合せを含み、前記複数の区域が第一枢動ピン及び第二枢動ピンによって連結されていることを特徴とする乳房インプラントスペーサー。
【請求項１１】
複数の区域を含む乳房インプラントスペーサーであって、前記区域のそれぞれがポリメチルメタクリレートセメント、及びバンコマイシン、トブラマイシン、ボリコナゾール、またはそれらのいずれかの組合せを含み、前記複数の区域がばねによって連結されていることを特徴とする乳房インプラントスペーサー。
【請求項１２】
セメント、及び抗生剤、抗真菌剤、静菌剤もしくは殺菌剤、またはそれらの組合せを含む乳房インプラントスペーサーであって、前記乳房インプラントスペーサーが、乳房インプラント感染を治療する必要性のある患者において乳房インプラント感染を治療することにおいて使用するためのものであり、前記乳房インプラントスペーサーが、少なくとも第一枢動ピン、ワイヤー、またはばねによって連結されている複数の区域を含むことを特徴とする乳房インプラントスペーサー。
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
歯に取り付けるための基部を有する歯科矯正装具と、
窪みを有する容器であり、前記窪みは、底面、及び前記窪みの拡張された入口をもたらす一対の対向する非平行な側面を備え、前記側面は、前記基部の対向する側部と接触して前記窪みの中に前記装具を保持する、容器と、を含む、パッケージ化した歯科矯正アセンブリ。
【請求項２】
歯に取り付けるための基部を有する歯科矯正装具であり、前記基部は、一対の対向する外縁部を有する、歯科矯正装具と、
窪みを有する容器であって、前記窪みは、底面、及び一対の対向する側面を備え、各側面は、前記基部の外縁部を支持する棚部を含み、前記棚部は、前記装具を前記窪みの前記底面の壁部の上に浮かせるように作用する、容器と、を含む、パッケージ化した歯科矯正アセンブリ。
【請求項３】
パッケージ化した歯科矯正アセンブリを作製する方法であって、
窪みを有する容器であり、前記窪みは、底面、及び拡張された入口をもたらすように非平行な向きを有する一対の対向する側面を含む、容器を用意する工程と、
歯科矯正装具を少なくとも部分的に前記窪みの入口内に配置する工程と、
前記装具と、対向するそれぞれの側面との間の接触に基づいて、横方向に沿って前記装具を圧縮して保持するように、前記装具を前記底面に向けて圧迫する工程と、を含む、方法。